(57)【要約】  【課題】  既存の回転機能を備えていない無線受信機であっても、受信感度の高い角度で取り付けることができる電子機器、回路基板およびコネクタを提供する。  【解決手段】  電子機器もしくは回路基板に互いに互換性を有する無線受信機接続用のコネクタ嵌合部を複数設け、これらコネクタ嵌合部は挿入方向の軸線回りの配置角度を互いに異ならせている、もしくは、無線受信機接続用のコネクタ嵌合部が挿入方向の軸線回りに回転自在に設けられている。また、１つのコネクタに互いに互換性を有する無線受信機接続用のコネクタ嵌合部を複数設け、これらコネクタ嵌合部は挿入方向の軸線回りの配置角度を互いに異ならせている。  【選択図】図１
2006294349.tif 000002
【特許請求の範囲】
【請求項１】
互いに互換性を有する無線受信機接続用のコネクタ嵌合部を複数備え、これらコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする電子機器。
【請求項２】
無線受信機接続用のコネクタ嵌合部を備え、該コネクタ嵌合部は挿入方向の軸線回りに回転自在に設けられており、該コネクタ嵌合部に無線受信機の雄コネクタを任意の角度で嵌合接続可能な構成としていることを特徴とする電子機器。
【請求項３】
前記コネクタ嵌合部はＵＳＢポートであり、該ＵＳＢポートに無線受信機のＵＳＢコネクタが嵌合接続される構成としている請求項１または請求項２に記載の電子機器。
【請求項４】
互いに互換性を有する無線受信機接続用のコネクタ嵌合部を設けた雌コネクタを複数備え、これら雌コネクタのコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする回路基板。
【請求項５】
無線受信機接続用のコネクタ嵌合部を設けた雌コネクタを備え、該雌コネクタのコネクタ嵌合部は挿入方向の軸線回りに回転自在に設けられており、該コネクタ嵌合部に無線受信機の雄コネクタを任意の角度で嵌合接続可能な構成としていることを特徴とする回路基板。
【請求項６】
互いに互換性を有する無線受信機接続用のコネクタ嵌合部を複数備え、これらコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする雌コネクタ。
【請求項７】
無線受信機接続用のコネクタ嵌合部を備え、該コネクタ嵌合部は挿入方向の軸線回りに回転自在に設けられており、該コネクタ嵌合部に無線受信機の雄コネクタを任意の角度で嵌合接続可能な構成としていることを特徴とする雌コネクタ。
【発明の詳細な説明】
【技術分野】
【０００１】
本発明は、電子機器、回路基板、および雌コネクタに関し、特に、無線受信機等を据え置き型の電子機器であるセットトップボックスやパーソナルコンピュータ等にコネクタ接続するものに関する。
【背景技術】
【０００２】
従来、セットトップボックスやパーソナルコンピュータ等の据え置き型の電子機器において、ＵＳＢ（ユニバーサルシリアルバス）ポート等のコネクタ嵌合部は、同一の電子機器では、図１４（Ａ）に示すように、全てのコネクタ嵌合部１が水平方向に設けられている、もしくは、図１４（Ｂ）に示すように、全てのコネクタ嵌合部１が垂直方向に設けられている。
このような電子機器では、コネクタ接続する無線受信機の取付角度を調整できないため、無線受信機の取付角度によっては、無線による十分な伝送性能を得られない問題がある。
このような問題を解決するため、無線受信機に可動アンテナを突出して設けて受信感度を向上させているものもあるが、コスト上や外観上の問題より可動アンテナを設けていない無線受信機が多い。
【０００３】
実用新案登録第３０８４８８４号（特許文献１）において、図１５に示す無線受信機２が提供されており、該無線受信機２はインターフェイスアダプタ３が回転自在に設けられており、電子機器に対して取付角度を自由に変更することができる。
これにより、無線受信機２を受信感度の高い最適な角度に調節することにより十分な伝送性能を得ることができるが、電子機器に取り付ける無線受信機２のインターフェイスアダプタ３を回転自在とすると、無線受信機２が大型化すると共に、コスト高になる問題がある。
【０００４】
【特許文献１】実用新案登録第３０８４８８４号公報
【発明の開示】
【発明が解決しようとする課題】
【０００５】
本発明は前記問題に鑑みてなされたものであり、既存の回転機能を備えていない無線受信機であっても、受信感度の高い角度で取り付けることができる電子機器、回路基板およびコネクタを提供することを課題としている。
【課題を解決するための手段】
【０００６】
前記課題を解決するため、本発明は、第１の発明として、互いに互換性を有する無線受信機接続用のコネクタ嵌合部を複数備え、これらコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする電子機器を提供している。
前記電子機器として、据え置き型のセットトップボックス（ＳＴＢ）やパーソナルコンピュータ等の端末が挙げられる。
【０００７】
また、本発明は、第２の発明として、互いに互換性を有する無線受信機接続用のコネクタ嵌合部を設けた雌コネクタを複数備え、これら雌コネクタのコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする回路基板を提供している。
【０００８】
前記構成によれば、１つの電子機器もしくは回路基板に複数のコネクタ嵌合部がそれぞれ異なる角度で設けられているため、無線受信機の雄コネクタを嵌合するコネクタ嵌合部を選択して、無線受信機を受信感度の高い角度で電子機器もしくは回路基板に取り付けることができ、十分な伝送性能を得ることができる。
よって、可動アンテナを設けていない既存の無線受信機や雄コネクタが回転機能を有さない無線受信機であっても受信感度の高い角度で電子機器もしくは回路基板に取り付けることができる。
【０００９】
無線受信機が完全に受信できない状態を回避するためには配置角度の異なるコネクタ嵌合部を２つ設けておけばよいが、受信感度をより向上させるためには傾斜したコネクタ嵌合部を含めた３つ以上の配置角度の異なるコネクタ嵌合部を設けていることが好ましい。
【００１０】
本発明は、第３の発明として、無線受信機接続用のコネクタ嵌合部を備え、該コネクタ嵌合部は挿入方向の軸線回りに回転自在に設けられており、該コネクタ嵌合部に無線受信機の雄コネクタを任意の角度で嵌合接続可能な構成としていることを特徴とする電子機器を提供している。
【００１１】
また本発明は、第４の発明として、無線受信機接続用のコネクタ嵌合部を設けた雌コネクタを備え、該雌コネクタのコネクタ嵌合部は挿入方向の軸線回りに回転自在に設けられており、該コネクタ嵌合部に無線受信機の雄コネクタを任意の角度で嵌合接続可能な構成としていることを特徴とする回路基板を提供している。
【００１２】
前記構成によれば、電子機器にコネクタ嵌合部を回転自在に設けているため、電子機器に接続した無線受信機を回転させることで、可動アンテナを備えていない無線受信機を受信感度の高い角度で取り付けることができ、十分な伝送性能を得ることができる。
【００１３】
例えば、前記コネクタ嵌合部を備えた雌コネクタを電線を介して回路基板に接続し、該電線を捻れ可能な状態としておくことで雌コネクタを回転自在に設けておくことができる。
雌コネクタを電子機器に回転自在に設ける場合には、電線を介して回路基板等に接続した雌コネクタを円形状の回転板に固定し、該回転板を電子機器のケースに設けた円形状の開口に回転自在に取り付けている。また、雌コネクタに回転板を一体的に設けて、電子機器のケースに設けた円形状の開口に回転自在に直接取り付けてもよい。
【００１４】
本発明は、第５の発明として、互いに互換性を有する無線受信機接続用のコネクタ嵌合部を複数備え、これらコネクタ嵌合部は挿入方向の軸線回りの配置角度を互いに異ならせており、これらコネクタ嵌合部から選択される１のコネクタ嵌合部に無線受信機の雄コネクタを嵌合接続可能な構成としていることを特徴とする雌コネクタを提供している。
【００１５】
また本発明は、第６の発明として、無線受信機接続用のコネクタ嵌合部を備え、該コネクタ嵌合部は挿入方向の軸線回りに回転自在に設けられており、該コネクタ嵌合部に無線受信機の雄コネクタを任意の角度で嵌合接続可能な構成としていることを特徴とする雌コネクタを提供している。
【００１６】
前記構成によれば、配置角度の異なるコネクタ嵌合部を１つの雌コネクタに設けているため、部品点数を低減することができると共に、該雌コネクタを回路基板等に実装する場合には実装作業を容易にすることができる。
前記コネクタ嵌合部はＵＳＢポートであり、無線受信機のＵＳＢコネクタが嵌合接続される構成としていることが好ましい。
前記構成によれば、コネクタ嵌合部を複数個設けた場合には、使用しないＵＳＢポートを無線受信機以外の機器のＵＳＢコネクタ接続用として有効に活用することができる。
【発明の効果】
【００１７】
前述したように、第１、第２の発明によれば、１つの電子機器もしくは回路基板に複数のコネクタ嵌合部がそれぞれ異なる配置角度で設けられているため、無線受信機の雄コネクタを嵌合するコネクタ嵌合部を選択して、無線受信機を受信感度の高い角度で電子機器もしくは回路基板に取り付けることができ、十分な伝送性能を得ることができる。
【００１８】
また、第３、第４の発明によれば、電子機器もしくは回路基板にコネクタ嵌合部を回転自在に取り付けているため、電子機器に接続した無線受信機を回転させて、無線受信機を受信感度の高い角度で取り付けることができ、十分な伝送性能を得ることができる。
【００１９】
さらに、第５、第６の発明によれば、配置角度の異なるコネクタ嵌合部を１つの雌コネクタに設けているため、無線受信機を受信感度の高い角度で雌コネクタに取り付けることができ、各雌コネクタにそれぞれ１つずつコネクタ嵌合部を設けた場合と比較して部品点数を低減することができると共に、該雌コネクタを回路基板等に実装する場合には実装作業を容易にすることができる。
【発明を実施するための最良の形態】
【００２０】
本発明の実施形態を図面を参照して説明する。
図１乃至図３は、本発明の第１実施形態を示し、図１は無線受信機２０を接続する据え置き型の電子機器であるセットトップボックス１０（以下、「ＳＴＢ１０」と略称する）を示す。ＳＴＢ１０の一側面には無線受信機２０のＵＳＢ（ユニバーサルシリアルバス）コネクタ（雄コネクタ）２１を嵌合接続するためのＵＳＢポートが複数設けられている。本実施形態では、４つの第１ＵＳＢポート１１ａ、第２ＵＳＢポート１２ａ、第３ＵＳＢポート１３ａ及び第４ＵＳＢポート１４ａがＳＴＢ１０の同一面に設けられている。
【００２１】
ＳＴＢ１０のケース１６内には、図３に示す回路基板１５が収容されており、該回路基板１５の一側縁に第３雌コネクタ１３、第１雌コネクタ１１、第２雌コネクタ１２、第４雌コネクタ１４が並列配置で実装されている。第１〜第４雌コネクタ１１〜１４には、互いに互換性を有する前記第１〜第４ＵＳＢポート１１ａ〜１４ａがそれぞれ設けられており、これら第１〜第４ＵＳＢポート１１ａ〜１４ａはＵＳＢコネクタ挿入方向の軸線回りの配置角度を互いに異ならせている。即ち、第２〜第４ＵＳＢポート１２ａ〜１４ａは、無線受信機２０のコネクタ挿入方向を軸として第１ＵＳＢポート１１ａを所要角度回転させた状態となっている。
本実施形態では、第１ＵＳＢポート１１ａは長方形の開口の長辺側を垂直方向とし、第２ＵＳＢポート１２ａは第１ＵＳＢポート１１ａに対して時計回り方向に９０度回転させて長辺側を水平方向として設けられている。また、第３ＵＳＢポート１３ａは第１ＵＳＢポート１１ａに対して反時計回り方向に４５度傾斜させており、第４ＵＳＢポート１４ａは第１ＵＳＢポート１１ａに対して時計回り方向に４５度傾斜させている。
また、第１〜第４ＵＳＢポート１１ａ〜１４ａ内の端子は回路基板１５の導体１５ａに接続されている。
【００２２】
ＳＴＢ１０のケース１６の側面には４つの開口１６ａが設けられている。ケース１６内に回路基板１５を収容したときに、回路基板１５に実装した第１〜第４雌コネクタ１１〜１４がそれぞれ開口１６ａの対向位置に配置され、開口１６ａを通して第１〜第４雌コネクタ１１〜１４の第１〜第４ＵＳＢポート１１ａ〜１４ａが外部に露出される。
【００２３】
リモコン等から信号を受信する無線受信機２０はＵＳＢコネクタ２１を備え、該ＵＳＢコネクタ２１をＳＴＢ１０の第１〜第４ＵＳＢポート１１ａ〜１４ａのいずれかに嵌合して、ＳＴＢ１０内の回路基板１５と接続する構成としている。無線受信機２０のＵＳＢコネクタ２１は、ＳＴＢ１０の第１〜第４ＵＳＢポート１１〜１４のうちから選択したいずれかのＵＳＢポートに嵌合し、嵌合するＵＳＢポートによって無線受信機２０を異なる角度でＳＴＢ１０に取り付けることができる。
即ち、回路基板１５は、図４に示すように、第１〜第４雌コネクタ１１〜１４のいずれかの雌コネクタに無線受信機２０が接続されても、無線受信機２０を認識可能とする認識手段１７と、無線受信機２０で受信した無線信号に対して所定の演算処理を行う演算手段１８とを備えている。
【００２４】
前記構成によれば、１つのＳＴＢ１０に複数の第１〜第４ＵＳＢポート１１ａ〜１４ａがそれぞれ異なる配置角度で設けられているため、無線受信機２０のＵＳＢコネクタ２１を嵌合するＵＳＢポートを選択して、無線受信機２０を受信感度の高い角度でＳＴＢ１０に取り付けることができ、十分な伝送性能を得ることができる。
なお、ＵＳＢポートの配置角度は本実施形態で示したものに限らず、第１、第２ＵＳＢポートを１８０度回転させたもの等、様々な角度のＵＳＢポートを設けてもよい。
また、本実施形態では無線受信機を接続する電子機器をセットトップボックスとしているが、パーソナルコンピュータ等であってもよい。
【００２５】
図５は、本発明の第２実施形態を示す。
第１実施形態では、回路基板に実装する雌コネクタにそれぞれ１つずつ配置角度の異なるＵＳＢポートを設けているが、本実施形態では１つの雌コネクタに配置角度の異なるＵＳＢポートを複数設けている。詳細には、１つの第１雌コネクタ１１’に長辺側を垂直方向とした第１ＵＳＢポート１１ａ’と長辺側を水平方向とした第２ＵＳＢポート１１ｂ’が設けられている。
【００２６】
前記構成によれば、配置角度の異なる第１、第２ＵＳＢポート１１ａ’、１１ｂ’を１つの雌コネクタに設けているため、部品点数を低減することができると共に、回路基板１５への実装を容易にすることができる。
なお、他の構成及び作用効果は第１実施形態の回路基板と同様のため、同一の符号を付して説明を省略する。
【００２７】
図６乃至図８は、本発明の第３実施形態を示す。
本実施形態では、セットトップボックス３０（以下、「ＳＴＢ３０」と略称する）の側面に無線受信機（図示せず）のＵＳＢコネクタを嵌合するＵＳＢポート３１ａをＵＳＢコネクタ挿入方向の軸線回りに回転自在に設けている。
【００２８】
ＳＴＢ３０のケース３２内に回転自在に収容する雌コネクタ３１には１つのＵＳＢポート３１ａを設けている。該雌コネクタ３１は電線３３を介してコネクタ３４と接続されており、該コネクタ３４を回路基板３５に設けたコネクタ３６と嵌合させることにより雌コネクタ３１を回路基板３５に接続している。
【００２９】
雌コネクタ３１のＵＳＢポート３１ａを設けた前面側にはＵＳＢポート３１ａをケース外に露出させるための開口３７ａが穿設された円形状の回転板３７を取り付けている。詳細には、回転板３７の開口３７ａの下側隅部に設けたＬ形状の保持部３７ｂに雌コネクタ３１の前面側を載置して、雌コネクタ３１の前面側上端に突設した係止片３１ｂの貫通孔３１ｃと回転板３７の貫通孔３７ｃとを連通させてネジ３８を通し、雌コネクタ３１に回転板３７をネジ止めしている。
【００３０】
ＳＴＢ３０のケース３２の側壁には円形状の開口３２ａが穿設されており、該開口３２ａの周縁内面に環状溝３２ｂが設けられている。図７に示すように、開口３２ａの環状溝３２ｂに回転板３７の周縁を嵌め込んで、ケース３２に回転板３７を回転自在に取り付け、雌コネクタ３１をケース３２内に回転自在な状態で収容している。
また、回転板３７のケース内面側の上端より若干下方位置に突起３７ｄを突設している一方、ＳＴＢ３０のケース３２の内面には開口３２ａの側方より開口３２ａに突出する回転規制用の突起３２ｃ、３２ｄを設けている。
【００３１】
前記のように雌コネクタ３１をＳＴＢ３０に回転自在に取り付けているため、ＳＴＢ３０のＵＳＢポート３１ａに無線受信機のＵＳＢコネクタを嵌合し、この状態でＵＳＢコネクタを軸として無線受信機を回転させることができる。
具体的には、図８（Ａ）に示すように、ＵＳＢポート３１ａの長辺側が水平方向となった状態で雌コネクタ３１がＳＴＢ３０に取り付けられている。
このＵＳＢポート３１ａに無線受信機のＵＳＢコネクタを嵌合し、ＵＳＢコネクタを軸として無線受信機を時計回り方向に回転させると、ＳＴＢ３０の雌コネクタ３１と回転板３７が追従して時計回り方向に回転する。無線受信機を時計回り方向におよそ９０度回転させると、図８（Ｂ）に示すように、回転板３７の突起３７ｄとケース３２の突起３２ｃとが干渉して、同一方向にこれ以上回転しないようにしている。
逆に、ＵＳＢコネクタを軸として無線受信機を反時計回り方向に回転させると、ＳＴＢ３０の雌コネクタ３１と回転板３７が追従して反時計回り方向に回転する。無線受信機を反時計回り方向におよそ９０度回転させると、図８（Ｃ）に示すように、回転板３７の突起３７ｄとケース３２の突起３２ｄとが干渉して、同一方向にこれ以上回転しないようにしている。
また、開口３２ａの環状溝３２ｂと回転板３７の周縁との間で生じる摩擦力により、無線受信機を回転させた所要角度で保持できるようにしている。
【００３２】
前記構成によれば、ＳＴＢ３０に雌コネクタ３１を回転自在に取り付けているため、ＳＴＢ３０に接続した無線受信機を回転させて、無線受信機を受信感度の高い角度でＳＴＢ３０に取り付けることができ、十分な伝送性能を得ることができる。
なお、本実施形態ではＵＳＢコネクタを時計回り方向および反時計回り方向にそれぞれ９０度回転できるようにしているが、時計回り方向および反時計回り方向にそれぞれ１８０度回転できるようにして、略一回転できるようにしてもよい。
【００３３】
図９は、第３実施形態の第１変形例を示す。
本変形例では、ＳＴＢ３０のケース３２の内面に開口３２ａの周縁より筒部３２ｅを突設する共に、回転板３７の周縁にも雌コネクタ３１側へ筒部３７ｅを突設し、回転板３７の筒部３７ｅをケース３２の筒部３２ｅに回転自在に内嵌している。
【００３４】
前記構成によれば、雌コネクタ３１をより安定した状態でＳＴＢ３０のケース３２に回転自在に取り付けておくことができる。
また、回転板３７の筒部３７ｅの外面をケース３２の筒部３２ｅの内面に接触させて、回転板３７とケース３２との間の摩擦力を高めているため、所要角度に回転させた雌コネクタ３１を回転させた状態でより確実に保持しておくことができる。
なお、他の構成及び作用効果は第３実施形態と同様のため、同一の符号を付して説明を省略する。
【００３５】
図１０は、第３実施形態の第２変形例を示す。
本変形例では、雌コネクタ３１’の前端側の外面に第３実施形態の回転板３７の周縁に相当する環状リブ３１ｄ’を一体的に設け、該環状リブ３１ｄ’を開口３２ａの周縁内面に設けた環状溝３２ｂに嵌め込んで、ＳＴＢ３０のケース３２に穿設した開口３２ａに回転自在に直接取り付けている。
【００３６】
前記構成によれば、第３実施形態で用いる回転板３７を省略することができ、部品点数を低減できると共に、雌コネクタ３１’のケース３２への取り付け作業も容易にすることができる。なお、他の構成及び作用効果は第３実施形態と同様のため、同一の符号を付して説明を省略する。
【００３７】
図１１乃至図１３は、本発明の第４実施形態を示す。
本実施形態では、回路基板４０に実装する雌コネクタ４１（ＵＳＢコネクタ）のＵＳＢポート４２ｂ（コネクタ嵌合部）を挿入方向の軸線回りに回転自在に設けている。
【００３８】
プリント回路４０ａがパターニングされた回路基板４０の一側縁に雌コネクタ４１が実装され、雌コネクタ４１の導通ピン４９をプリント回路４０ａに半田接続している。雌コネクタ４１は、図１２および図１３に示すように、ケーブル４７に接続されたコネクタ本体４２を第１取付片４３および第２取付片４４によりカバー４８内に回転自在に取り付けている。コネクタ本体４２は先端面にＵＳＢポート４２ｂを設けていると共に上下にはネジ穴を有する取付部４２ａを突出している。第１取付片４３は略円盤状で、前面側周縁に切欠部４３ａを設けていると共に背面側上端に後方にオフセットした状態で突起部４３ｂを設けており所要箇所にはネジ穴を穿設している。第２取付片４４は略円盤状で所要箇所にネジ穴を穿設している。コネクタ本体４３、第１取付片４３および第２取付片４４は、ネジ４５とナット４６により互いに締結する構成としている。
【００３９】
カバー４８はボックス状で、底壁に回路接続用の導通ピン４９を貫通固定していると共に、前面側にＵＳＢポート４２ｂを露出させる円形状の開口４８ａを設けている。開口４８ａの内周縁からは円環状の鍔部４８ｂを中心方向に突出しており、開口４８ａの背面側周縁には両側に回転規制用の突起４８ｃを設けている。
【００４０】
雌コネクタ４１の組み付けは、コネクタ本体４２をカバー４８内に配置してケーブル４７を導通ピン４９に接続し、第１取付片４３の切欠部４３ａと第２取付片４４とでカバー４８の鍔部４８ｂを挟持した状態でコネクタ本体４２とまとめてネジ４５およびナット４６で締結している。
【００４１】
以上の構成とすると、コネクタ本体４２、第１取付片４３および第２取付片４４がカバー４８に対して回転自在となるので、ＵＳＢポート４２ｂに無線受信機の雄コネクタ（ＵＳＢコネクタ）を嵌合し、この状態で挿通方向を回転軸として無線受信機を回転させることができる。この際、無線受信機をおよそ９０度回転させると、第１取付片４３の突起４３ｂとカバー４８の突起４８ｃとが干渉して、同一方向にこれ以上回転しないようになっている。
【図面の簡単な説明】
【００４２】
【図１】本発明の第１実施形態のセットトップボックスの斜視図である。
【図２】セットトップボックスの右側面図である。
【図３】セットトップボックスに収容する回路基板の斜視図である。
【図４】回路基板のブロック図である。
【図５】第２実施形態の回路基板の斜視図である。
【図６】第３実施形態のセットトップボックスの分解斜視図である。
【図７】セットトップボックスに雌コネクタを取り付けた状態を示す断面図である。
【図８】（Ａ）原状位置のＵＳＢポートを示す図面、（Ｂ）はＵＳＢポートを時計回り方向に９０度回転させた状態を示す図面、（Ｃ）はＵＳＢポートを反時計回り方向に９０度回転させた状態を示す図面である。
【図９】第３実施形態の第１変形例を示す図面である。
【図１０】第３実施形態の第２変形例を示す図面である。
【図１１】第４実施形態の回路基板の斜視図である。
【図１２】（Ａ）（Ｂ）は雌コネクタの分解断面図である。
【図１３】雌コネクタの断面図である。
【図１４】（Ａ）（Ｂ）は従来例を示す図面である。
【図１５】他の従来例を示す図面である。
【符号の説明】
【００４３】
１０、３０  セットトップボックス（ＳＴＢ）
１１〜１４  第１〜第４雌コネクタ
１１ａ〜１４ａ  第１〜第４ＵＳＢポート
１５、３５  回路基板
２０  無線受信機
２１  無線受信機のＵＳＢコネクタ
３１  セットトップボックスの雌コネクタ
３１ａ  ＵＳＢポート
【図１】
2006294349.tif 000003
【図２】
2006294349.tif 000004
【図３】
2006294349.tif 000005
【図４】
2006294349.tif 000006
【図５】
2006294349.tif 000007
【図６】
2006294349.tif 000008
【図７】
2006294349.tif 000009
【図８】
2006294349.tif 000010
【図９】
2006294349.tif 000011
【図１０】
2006294349.tif 000012
【図１１】
2006294349.tif 000013
【図１２】
2006294349.tif 000014
【図１３】
2006294349.tif 000015
【図１４】
2006294349.tif 000016
【図１５】
2006294349.tif 000017